(57)【特許請求の範囲】
【請求項１】
リーチフォーク等のストロークによりバッテリトレイと一体のバッテリを一度前側に押し出した後に、バッテリだけを横方向に引き出すことができるフォークリフトのバッテリ交換装置であって、一定の高さと、左右方向に一定の幅を有し、前後方向には一定の厚みを有する直方体形状のバッテリが積載可能であり、またバッテリ交換時にはロックを外して、バッテリだけを横方向に引き出すことができる断面形状が溝型のバッテリトレイと、この断面形状が溝型のバッテリトレイの左右側壁の最前部下辺にはバッテリスタンド或いはバッテリキャリアの係合ピンと係合する係合ガイド穴を設けたことを特徴とするフォークリフトのバッテリ交換装置。
【発明の詳細な説明】
【０００１】
【発明の属する技術分野】
この発明はリーチフォーク等のストロークによりバッテリトレイと一体のバッテリを一度前側に押し出した後にバッテリだけを横方向に円滑に引き出すことができるフォークリフトのバッテリ交換装置に関する。
【０００２】
【従来の技術】
従来、リーチフォーク等でリーチシリンダの伸縮機能を利用してバッテリトレイと一体のバッテリを一度前側に押し出した後に、さらに人力でバッテリだけを横方向に引き出すことができるフォークリフトのバッテリ交換装置においては、図６に示すように、バッテリスタンド、或いはバッテリキャリアに設けた係合ピンをリーチフォークのフレームに設けた穴に係合させて、バッテリスタンド、或いはバッテリキャリアが抜けたり、位置ずれを起こさないようにしてバッテリ交換作業を行っていた。
【０００３】
【発明が解決しようとする課題】
しかし上記の従来のバッテリ交換装置においては、バッテリを前側に押し出したときに、フレームの製造上の精度やリーチフォークのリーチシリンダストロークのバラツキ等の影響で、その位置が多少のずれを生じてしまい、リーチフォークのフレームの穴に係合させたバッテリスタンドとバッテリトレイとの位置が一致せず、バッテリがバッテリスタンドの側板に干渉したりして、横に引き出せない場合があり、バッテリ交換作業の課題となっており、この発明はこの課題解決を目的とするものである。
【０００４】
【課題を解決するための手段及び作用効果】
この発明は上記の課題に対処するためになされたもので、リーチフォーク等のストロークによりバッテリトレイと一体のバッテリを一度前側に押し出した後に、バッテリだけを横方向に引き出すことができるフォークリフトのバッテリ交換装置であって、一定の高さと、左右方向に一定の幅を有し、前後方向には一定の厚みを有する直方体形状のバッテリが積載可能であり、またバッテリ交換時にはロックを外して、バッテリだけを横方向に引き出すことができる断面形状が溝型のバッテリトレイと、この断面形状が溝型のバッテリトレイの左右側壁の最前部下辺にはバッテリスタンド或いはバッテリキャリアの係合ピンと係合する係合ガイド穴を設けたことを特徴とするフォークリフトのバッテリ交換装置となっている。
【０００５】
従って、バッテリスタンド或いはバッテリキャリアの係合ピンと、バッテリトレイの係合ガイド穴とにずれが生じないので、バッテリがバッテリスタンドの側板に干渉したりして、横に引き出せないようなことが起こらない。これによって作業者は、バッテリを交換するときに、ロックを外してバッテリトレイからバッテリだけを横方向に引き出してバッテリスタンドへ円滑に取り込むことができるようになり、バッツテリ交換作業を効率よく遂行できる。
【０００６】
【発明の実施の形態】
以下この発明の実施例について、図面により説明する。
図１はこの発明のバッテリ交換装置の第１実施例を示す斜視図である。
一定の高さと、左右方向に一定の幅を有し、前後方向には一定の厚みを有する直方体形状のバッテリ４は断面形状が溝型のバッテリトレイ１に、その端部がロックされて移動しないように積載されており、バッテリ４の上部にはケーブルが連結されている。リーチフォークのリーチシリンダ（図示せず）によりバッテリトレイ１にバッテリ４を積載したまま押し出し位置まで押し出される。バッテリトレイ１の左右側壁の最前部下辺には係合ガイド穴２が設けらており、これらの係合ガイド穴２に、バッテリスタンド３或いはバッテリキャリア７の係合ピン５を嵌めこむ。このようにすることにより、断面形状が溝型のバッテリトレイ１とバッテリスタンド３或いはバッテリキャリア７とのバッツテリ交換の際の位置にずれが生じないので、バッテリ４がバッテリスタンド３或いはバッテリキャリア７の側板６に干渉したりして、横に引き出せないようなことが起こらない。従って、バッテリ４の引き出しを円滑に行うことができる。
【０００７】
次に図２について説明する。
図２はこの発明の第２実施例に係るフォークリフトのバッテリ交換装置の係合ガイド穴の部分の別の形態を示す斜視図である。
第２実施例に係るの係合ガイド穴２は、第１実施例に係る係合ガイド穴２のように円形の穴が断面形状が溝型のバッテリトレイ１の左右側壁の最前部下辺に設けられているということではなく、その円形の係合ガイド穴２のてっぺんの部分を切除してＵ字状にしたものである。
【０００８】
図３に示すリーチフォーク等でバッテリトレイ１と一体のバッテリ４を一度前側に出してから横に引き出すことができるフォークリフトのバッテリ交換装置において、断面形状が溝型のバッテリトレイ１に積載された状態のままバッテリ４を、リーチシリンダにより前方の押し出し位置Ｆ１へ押し出した後、バッテリトレイ１の左右側壁の最前部下辺にある係合ガイド穴２に、バッテリスタンド３或いはバッテリキャリア７の係合ピン５を嵌めこみ、バッテリトレイ１とバッテリスタンド３或いはバッテリキャリア７との位置ずれをなくする。そして、バッテリ４の上部に連結するケーブルを外し、バッテリトレイ１に設けられたロックを外して、バッテリ４のみをリーチフォーク側面に係合させたバッテリスタンド３（図４に一例を示す）或いはバッテリキャリア７の上の交換位置Ｆ２へ作業者が引き出す。その後は充電が終了した新規のバッテリ４を逆の手順でリーチフォークの定位置へ収納することで交換作業が実行される。
【０００９】
この発明は断面形状が溝型のバッテリトレイ１の左右側壁の最前部下辺にある係合ガイド穴２へ、バッテリスタンド３或いはバッテリキャリア７の係合ピン５を嵌めるように構成されているため、リーチシリンダのストロークにバラツキ等があっても、その押し出し位置の影響を全く受けることがなく係合させたバッテリスタンド３或いはバッテリキャリア７の側板６とバッテリ４が引き出し時に干渉したり係合部分に段差が生じることもない。
【００１０】
従って交換作業を実施する作業者は断面形状が溝型のバッテリトレイ１に積載されたバッテリ４を円滑かつ確実に、バッテリスタンド３或いはバッテリキャリア７の上へ引き出すことができ、効率よく交換作業を遂行できる。
【図面の簡単な説明】
【図１】  この発明の第１実施例に係るフォークリフトのバッテリ交換装置の斜視図である。
【図２】  図２はこの発明の第２実施例に係るフォークリフトのバッテリ交換装置の係合ガイド穴の部分の別の形態を示す斜視図である。
【図３】  バッテリ引き出し説明用の平面図である。
【図４】バッテリスタンドの一例である。
【図５】バッテリキャリアの一例である。
【図６】  従来のフォークリフトのバッテリ交換装置の斜視図である。
【符号の説明】
１・・・バッテリトレイ
２・・・係合ガイド穴
３・・・バッテリスタンド
４・・・バッテリ
５・・・係合ピン
６・・・側板
７・・・バッテリキャリヤ
【図１】
0003545964.tif 000002
【図２】
0003545964.tif 000003
【図３】
0003545964.tif 000004
【図４】
0003545964.tif 000005
【図５】
0003545964.tif 000006
【図６】
0003545964.tif 000007